(57)【要約】【課題】口金体が軸本体に対して傾動する際に、傾動方向に従って定まる特定の位置を支点として傾動するように構成し、クッション性があってしなりの感じられる良い書き味が確実且つ安定的に得られ、芯折れ、筆記体の損傷等が軽減される筆記具を提供する。    【解決手段】軸本体２と口金体５１を備える。口金体は口金本体１２と中駒１５と後駒１７とを一体的に結合して構成する。後駒の先端部１８は軸本体の孔６内に形成された内方フランジ７に当接する。スライド部材５７が軸本体の孔内で軸方向スライド可能に配置される。中駒の球状の作用面５３とスライド部材の先端側のテーパ部５８とが当接する。圧縮コイルバネ２８がスライド部材の後端部と内方フランジの前側面との間に配設され、スライド部材を介して口金体を常時軸本体先端側へ付勢する。筆記時には、力の作用する方向によって定まる内方フランジ上の位置を支点として口金は傾動し、それに伴ってバネに抗してスライド部材を後方へ移動させる。【選択図】  図４
2010264638.tif 000002
【特許請求の範囲】
【請求項１】
少なくとも先端側が開口した筒状の軸本体と、前記軸本体の前記先端側に配置され、前記軸本体の外側に位置する先端部と前記本体の孔に少なくとも後端側が挿入される軸部とを備えた口金体と、前記軸本体側から前記口金体内へ挿通される筆記体とを備えた筆記具において、前記筆記具はさらに前記口金体を前記軸本体の先端側へ付勢する付勢部材を備え、前記軸本体には前記孔内において前記軸本体に一体に形成された受止め部が形成され、前記口金体には前記受止め部に当接し、それにより前記口金体の前記軸本体の先端側への移動が阻止される当接部が形成され、前記軸本体の穴の径は前記口金体の前記軸部の外径より大きく、前記付勢部材は、前記口金体の前記軸部の軸心を中心とする円に沿って形成される作用部において前記口金体に力を作用させる構成となっていることを特徴とする、筆記具。
【請求項２】
請求項１記載の筆記具において、前記付勢部材は前記口金体の前記軸部を囲むように配設されていることを特徴とする、筆記具。
【請求項３】
請求項２記載の筆記具において、前記付勢部材は前記軸本体の前記孔内に配置されていることを特徴とする、筆記具。
【請求項４】
請求項３記載の筆記具において、前記付勢部材は、前記口金体の軸方向に伸びて配設され、前記軸本体と前記口金体にそれぞれ形成される受け部に両端が当接していることを特徴とする、筆記具。
【請求項５】
請求項３記載の筆記具において、前記筆記具はさらに、前記軸本体の孔内に該軸本体の軸方向に摺動可能に配設されたスライド部材を備え、前記スライド部材は前記先端側に設けられた作用部において該作用部に対向する前記口金体の作用部に当接し、前記付勢部材は前記口金体の軸方向に伸びて配設され、前記スライド部材の後端側に設けられた受け部と前記軸本体に形成された受け部とに両端が当接し、前記口金体は前記スライド部材を介して前記付勢部材により付勢されていることを特徴とする、筆記具。
【請求項６】
請求項５記載の筆記具において、前記口金体の作用部は球面状に形成され、前記スライド部材の作用部は、後端側に向かって径が小さくなるテーパ状又は球面状の窪みとして形成されていることを特徴とする、筆記具。
【請求項７】
請求項３乃至６のいずれか１に記載の筆記具において、前記筆記具はさらに、前記口金体が前記軸本体の前記受止め部を支点として前記軸本体の軸線に対して傾動するときに、前記口金体により圧縮されてクッション作用を果たす、収縮、復元が可能な弾性材料で造られたクッション材を備えていることを特徴とする、筆記具。
【請求項８】
請求項７記載の筆記具において、前記クッション材は筒状に形成され、前記軸本体の先端面の軸方向前後所定の範囲で前記口金の軸部外周を覆って配置されていることを特徴とする、筆記具。
【請求項９】
請求項７記載の筆記具において、前記クッション材は、リング状に形成され、前記口金体は、前記先端部と軸部との間に該軸部の径方向へ広がる肩部を備え、前記クッション材は、前記肩部と前記軸本体の先端側端面とに間に配設されていることを特徴とする、筆記具。
【請求項１０】
請求項８記載の筆記具において、前記クッション材は、筒状部と該筒状部の先端側において径方向外方へ広がる鍔部とを備え、前記口金体は、前記先端部と軸部との間に該軸部の径方向へ広がる肩部を備え、前記筒状部は前記口金の軸部外周を覆って配置され、前記肩部と前記軸本体の先端側端面とに間に配設されていることを特徴とする、筆記具。
【請求項１１】
請求項２記載の筆記具において、前記口金体は、前記先端部と軸部との間に該軸部の径方向へ広がる肩部を備え、前記付勢部材は、前記肩部と前記軸本体の先端側端面とに間に配設されていることを特徴とする、筆記具。
【発明の詳細な説明】
【技術分野】
【０００１】
本願発明はシャープペンシル、ボールペン、マーカーペン等の筆記具に関し、さらに詳細には、口金体が軸本体に対して任意の方向へ傾動できる筆記具に関する。
【背景技術】
【０００２】
シャープペンシル、ボールペン、マーカーペンなどの筆記具は、軸本体に取付けられた口金を備え、例えばシャープペンシルの場合にはチャック機構を内蔵して芯の送出し量を調節し、ボールペン、マーカーペンなどでは挿通される筆記体をガイドしている。この口金は軸本体に対して固着されているのが通常である。この場合、筆記の際に筆記体あるいは筆記部に柔軟性が無く、書き味において万年筆に比して劣るということが指摘されていた。また、指の押圧によってシャープペンシルの芯が折れたり、ボールペン、マーカーペンなどでは筆記体の先端を損傷する欠点も指摘されていた。
【０００３】
実願平３−８５７３０号（実開平５−４１８７８号）は上記の点を指摘し、その問題点を解決するものとして、軸本体と口金又は中ねじのいずれか又は双方との間に弾性体を介在させた構成を開示している。これにより筆記の際に弾性体がクッションとして機能し、たわみ性が発生し、腰のある書き味を得ることができるとしている。
【０００４】
しかしこの構成においては、口金が傾動するときに特定の位置を支点として傾動する構成とはなっていない。このため、支点が定まらず、筆記具の紙面への角度、力の入れ方（強さ、方向など）、移動の仕方によって傾動状態は変化し、安定せず、ときには十分なクッション性は得られない場合もあり得る。従って書き味も必ずしも良好な状態が維持できるとはいえず、種々変化し、決して書き味が良好とはいえない。
【先行技術文献】
【特許文献】
【０００５】
【特許文献１】実願平３−８５７３０号（実開平５−４１８７８号）
【発明の概要】
【発明が解決しようとする課題】
【０００６】
本願発明は上記従来例の問題点に鑑みなされたものであり、筆記部が傾動する際に必ずある位置を支点として動作し、常に安定したクッション性が生じて良好な書き味が得られ、芯折れ防止、筆記体の損傷防止の向上を図れる筆記具を提供することをその課題とする。
【課題を解決するための手段】
【０００７】
上記課題を解決するために本発明にかかる筆記具においては以下の構成とした。すなわち、  少なくとも先端側が開口した筒状の軸本体と、軸本体の前記先端側に配置され、軸本体の外側に位置する先端部と本体の孔に少なくとも後端側が挿入される軸部とを備えた口金体と、軸本体側から口金体内へ挿通される筆記体とを備えた筆記具において、筆記具はさらに口金体を軸本体の先端側へ付勢する付勢部材を備える。そして軸本体にはその孔内において軸本体に一体に形成された受止め部が形成され、口金体にはその受止め部に当接し、それにより口金体の軸本体の先端側への移動が阻止される当接部が形成される。軸本体の孔の径は口金体の軸部の外径より大きい。そして付勢部材は、口金体の軸部の軸心を中心とする円に沿って形成される作用部において口金体に力を作用させる。
その場合、付勢部材は口金体の軸部を囲むように配設することができる。
さらに、付勢部材は軸本体の孔内に配置することができる。
そしてさらに、付勢部材は、口金体の軸方向に伸びて配設され、軸本体と口金体にそれぞれ形成される受け部に両端が当接して受止められるようにすることができる。
付勢部材を軸本体の孔内に配置した場合において以下の構成とすることができる。すなわち、筆記具はさらに、軸本体の孔内に該軸本体の軸方向に摺動可能に配設されたスライド部材を備え、そのスライド部材は先端側に設けられた作用部において該作用部に対向する口金体の作用部に当接し、付勢部材は口金体の軸方向に伸びて配設され、スライド部材の後端側に設けられた受け部と軸本体に形成された受け部とに両端が当接し、口金体はスライド部材を介して付勢部材により付勢される。
その場合、口金体の作用部は球面状に形成し、スライド部材の作用部は、後端側に向かって径が小さくなるテーパ状に、又は球面状の窪みとして形成することもできる。
以上の場合において、筆記具にはさらに、口金体が軸本体の受止め部を支点として軸本体の軸線に対して傾動するときに、口金体により圧縮されてクッション作用を果たす、収縮、復元が可能な弾性材料で造られたクッション材を備えてもよい。
その場合において、そのクッション材は筒状に形成され、軸本体の先端面の軸方向前後所定の範囲で口金の軸部外周を覆って配置されてようにすることができる。
さらには、クッション材は、リング状に形成され、口金体は、先端部と軸部との間に該軸部の径方向へ広がる肩部を備え、クッション材は、肩部と軸本体の先端側端面とに間に配設するようにもできる。
さらには、クッション材は、筒状部と該筒状部の先端側において径方向外方へ広がる鍔部とを備え、口金体は、先端部と軸部との間に該軸部の径方向へ広がる肩部を備え、クッション材の筒状部は口金の軸部外周を覆って配置され、鍔部は肩部と軸本体の先端側端面とに間に配設するようにすることもできる。
付勢部材を口金体の軸部を囲むように配設したばあいにおいて、口金体は、先端部と軸部との間に該軸部の径方向へ広がる肩部を備え、付勢部材は、その肩部と軸本体の先端側端面とに間に配設することもできる。
【発明の効果】
【０００８】
本発明によれば、筆記時に口金体が定まった点を支点として軸本体の軸心に対して傾動し、クッション性があってしなりの感じられる良い書き味が確実且つ安定的に得られ、芯折れ、筆記体の損傷等が軽減される。
【図面の簡単な説明】
【０００９】
【図１】第１の実施の形態に係るシャープペンシルを示す部分縦断面図である。
【図２】第２の実施の形態に係るシャープペンシルを示す部分縦断面図である。
【図３】第４の実施の形態に係るボールペンを示す部分縦断面図である。
【図４】第５の実施の形態に係るシャープペンシルを示す部分縦断面図である。
【図５】第６の実施の形態に係るマーカーペンを示す部分縦断面図である。
【発明を実施するための形態】
【００１０】
以下図面を参照して本発明の実施の形態について説明するが、以下の実施の形態は例示的に示すものであり、本願発明の範囲がそれに限定されるものではない。
【００１１】
図１は本発明の第１の実施の形態にかかる筆記具、具体的にはシャープペンシル１の先端側を示す部分縦断面図である。図において符号２は軸本体であり、後軸部材３と後軸部材に組み付けられて一体化されている前軸部材４と、前軸部材と後軸部材の所定の範囲までそれらの外周上に被着されたゴムなどで形成されたグリップ５とを備えている。軸本体２の先端側（以下、「先端側」とは図において左側すなわち、後述する口金体１１が位置する側をいい、反対側を「後端側」という。）は開口しており、軸本体２には貫通孔６が形成され、その後端部には図示しない公知のノックが取付けられている。前軸部材４の軸方向所定の位置に径方向内方へ拡がる内方フランジ７が形成されている。これは後述する口金体を受止めて先端側への移動を阻止する受止め部として機能する。
【００１２】
符号１１は軸本体２の先端側へ配置される口金体であり、口金本体１２を備えている。口金本体１２は後端側へ向かって次第に径が大きくなる先端部１３と、先端部１３の後端より径が小さく、軸本体２の孔６内へ挿入される軸状の挿入部１４を備えている。挿入部１４の後端には中空軸に形成された中駒１５がネジ結合その他適宜な手段で一体的に取付けられている。そして、軸部１４の後端に突当たるところには径方向外方へ広がる外方フランジ１６が形成されている。中駒１５の後端側は前軸部材４に形成された内方フランジ７の中心穴を通って延びており、この後端側にはこれも中空軸に形成された後駒１７がネジ結合など適宜な手段で一体的に取付けられている。後駒１７の前側端面は内方フランジ７の後側端面に当接し、この前端部分は当接部１８となっている。口金本体１２と中駒１５と後駒１７とで口金体１１を構成し、口金本体１２の挿入部１４と中駒１５と後駒１７とで口金体１２の軸部１９を構成している。口金体１１は軸本体２と同心状に配置される。そして、内方フランジ７と外方フランジ１６とにその両端が受止められて、中駒１５の外周を囲むようにして圧縮コイルバネ２８が配設されている。従って、口金体１１は図中先端側へ常時付勢され、当接部１８が内方フランジ７に当接し、内方フランジ７により先端側への移動を阻止されている。
【００１３】
図示の通り口金体１１は軸方向全長に渡って中心を通る貫通穴２０が形成されている。そしてその先端側には公知のガイドパイプ２１と芯戻り止め２２とが固定されている。符号２３はこれも公知の芯タンクであり、後軸部材３側から口金体１１内へ挿入されている。口金体１１の中空部２４には芯タンクに作用する公知のバネ機構（図示せず）が配設され、中空部２５にはこれも公知のチャックリング（図示せず）は配設され、チャック（図示せず）と協働して芯送りをするようになっている。芯の図示も省略している。
【００１４】
図から判るとおり、口金体１１の軸部１９は全長にわたってその外径が軸本体２の孔６の径より小さく、口金体１１の軸部１９の外周と軸本体２の内周との間には隙間が設けられている。符号２６は丈の短い筒状のクッション材としてのスリーブであり、ゴムその他の適宜圧縮、復元が可能な弾性材で作られており、前端が口金本体１２の先端部１３と挿入部１４との境界となる肩部２７に当接し、その一部が軸本体２の孔６内へ挿入された状態で挿入部１９を被覆して取付けられている。スリーブ２６の外周と軸本体２の内周との間には僅かなクリアランスが設けられている。しかし、非圧縮状態で接するようにしてもよい。
【００１５】
上記の構成を備えたシャープペンシル１では、筆記する際には通常紙面に傾いた状態になっており、芯を介して口金体１１に作用する力によって口金体１１全体が軸本体２の軸心に対して傾動することができる。すなわち、バネ２８の作用によって口金体１１の当接部１８が軸本体２の内方フランジ７の後側端面に当接しているので、口金体１１はこの内方フランジ７の後側面上の点を支点として、軸本体２の軸心に対して、先端が作用する力の向きの方向へ触れるように傾動する。そしてこの際、スリーブ２６がクッションの機能を果たすので、傾動動作が滑らかになり、しなりの感じられる良い書き味が得られる。そして、前述の従来例と異なって、明確な支点が設けられているので、その傾動動作は安定している。また、バネは口金体１１の軸心を中心とする円に沿ってその全周に渡る作用点で作用するので、いずれの方向へも同じように傾動することができ、力が除かれると速やかに元の真直状態へ復帰することができる。なお、この実施の形態では付勢部材として圧縮コイルバネを使用したが、例えばゴムなどの圧縮、復元が可能な弾性材料で作ったスリーブなど圧縮状態で用いることも可能である。
【００１６】
図２は第２の実施の形態にかかるシャープペンシル３１を示す部分縦断面図である。この実施の形態において第１の実施の形態と異なる点は、スリーブ２６に代えて、外方へ拡がる鍔部付きのスリーブ３２を使用している点であり、その他の構成は第１の実施の形態と同じであるので、対応する部材には同じ番号を付し、その説明は省略する。
【００１７】
クッション材としてのスリーブ３２は筒部３３とその前端部から外方へ広がる鍔部３４を備えている。そして筒部３３は軸本体２の孔６内に位置し、鍔部３４は口金体１１の肩部２７と軸本体２の先端面２aとの間に配置されている。筒部３３の外周と軸本体２の孔６の内周面との間、及び鍔部３４の前端面と肩部２７との間にはわずかな隙間が設けられているが、非圧縮状態で接するようにしてもよい。この実施の形態では、クッションが二つ設けられている点を除き、口金体１１の傾動動作は第１の実施の形態の場合と同じである。
【００１８】
なお、第２の実施の形態において、鍔部３４の厚みを厚くし、圧縮状態で軸本体２の先端面２aと肩部２７との間に配置することとすると、素材として適宜な硬度を備えたものを選択することにより、口金体１１へ十分な付勢力を作用させることが可能であり、その場合鍔部３４は付勢部材とクッション材の両方の機能を果たし、圧縮コイルバネ２８を省略することが可能となる。この場合も、コイルバネの場合と同じように、口金体１１の軸心を中心とする円の周に沿って作用点が存在することとなるので、いずれの方向へも滑らかに傾動することができ、真直状態への復帰もスムーズに行われる。
【００１９】
また、第３の実施の形態として、第２の実施の形態で使用した鍔つきスリーブに代えて、その鍔部の部分だけからなるリング状の部材をクッション材として使用することも可能である。その際、Ｏリングのような形状を採用することも勿論可能である。また、その厚みを厚くして、第２の実施の形態について説明したように、付勢部材とクッション部材としての機能を併せて持たせることが可能である。なお、そのようなリングに代えてこの位置に圧縮コイルバネを配置することも可能である。
【００２０】
図３は第４の実施の形態を示す部分縦断面図である。この実施の形態に係る筆記具はボールペン４１である点で第１の実施の形態と異なるが、軸本体２と口金体１１は第１の実施の形態と同じ構成となっている。すなわち、符号４２はインクタンクであり、符号４３はその先端に取付けられた、ボールを保持する筆記部である。軸本体２と口金体１１については対応する部材には第１の実施形態のそれと同じ符号を付し、その説明は省略する。傾動動作についての説明も省略する。
【００２１】
図４は第５の実施の形態を示す部分縦断面図である。この筆記具は第１乃至第３の実施の形態と同じシャープペンシルである。このシャープペンシル５０が第1の実施の形態と異なるのは、口金体５１を構成する中駒５２の形状が異なることと、スライド部材５７が使用されていることである。従って、第１の実施の形態と同じ部材には同じ番号を付して、その説明は省略する。
【００２２】
この中駒５２はその先端部において口金本体１２にネジ結合など適宜手段で一体的に取付けられる。そして第１の実施の形態で設けられていた外方フランジ１６に代えて、後側が凸となった半球状部５３が形成されている。そしてその頂部から軸部５４が後側へ伸び、軸本体２の内方フランジ７の中心穴を通って延び、後駒１７にネジ結合など適宜手段で一体的に結合されている。
【００２３】
スライド部材５７は中空円筒状の部材であり、外径は全長を通じて同じであり、前軸部材４の内周に沿って軸方向にスライド可能となっている。内周側は、先端側で、後方へ行くに従って次第に内径が小さくなるテーパ部５８と、それに続く径の一定の小径部５９、肩部６０を介してそれに繋がる大径部６１を備えている。そしてバネ２８はスライド部材５７の肩部６０と軸本体２の内方フランジ７との間に圧縮状態で配設されている。従って、口金体５１が内方フランジ上の一点を支点として傾動すると、スライド部材５７はバネ２８の力に抗して後へ移動する。この際、バネ２８はクッション材としても機能する。この実施の形態の場合、中駒５２とスライド部材５７との球面とテーパ部による力伝達を利用するので、傾動及び真直状態への復帰動作が確実且つ滑らかになる。また、使用する芯の太さ（強さ）に応じてバネ２８の強さを変更して対応し、芯の太さが異なっても良好な書き味が得られ、芯折れの度合いも同様に減少する。なお、この実施の形態においても第１乃至第３の実施の形態で使用したクッション材を使用することは可能である。なお、テーパ部５８に代えて球面状の窪みとして形成しても良い。
【００２４】
図５は第６の実施の形態にかかる筆記具の部分縦断面図である。この筆記具はマーカーペン７１であり、フェルトの筆記部７３とインクタンク７４とを備える筆記体７２を備えている。軸本体２と口金体５１及びスライド部材５７は第５の実施の形態と同じ構成であるので、同じ部材には同じ番号を付し、その説明は省略する。また、口金体５１の傾動、復帰動作も第５の実施の形態での説明から明らかなのでこれも省略する。
【００２５】
なお、先に説明した第１乃至第４の実施の形態において、後駒１７と内方フランジ７とが互いに当接する部分を第５、第６の実施の形態における互いに当接する作用部である半球状部５３とテーパ部５８（或いは球面状の窪み）と同様の構成を採用することができる。すなわち、後駒１７の先端部を半球状或いは断面円弧状に形成し、内方フランジ７の後側端面に中心穴に繋がるテーパ状或いは半球状或いは断面円弧状の窪みに形成してもよい。或いは、それらを互いに反対の部材に形成してもよい。これにより、口金１１が傾動した後に真直状態に復帰する動作がよりスムースになる。
【図１】
2010264638.tif 000003
【図２】
2010264638.tif 000004
【図３】
2010264638.tif 000005
【図４】
2010264638.tif 000006
【図５】
2010264638.tif 000007